(57)【特許請求の範囲】
【請求項１】
空気調和機における圧縮機用のモータに電力を供給するインバータ回路と、このインバータ回路の動作を制御するマイクロコンピュータを備えた空気調和機の制御装置に於いて、前記インバータ回路にＩＰＭを設け、交流の商用電源をダイオードスタックにて直流に整流し、この直流電源を前記ＩＰＭに供給すると共に前記ダイオードスタックとＩＰＭの間にヒューズを設け、前記ダイオードスタックとヒューズとの間にＤＣ／ＤＣコンバータを接続し、前記マイクロコンピュータの電源をＤＣ／ＤＣコンバータにて供給し、前記ＩＰＭの入力側電流を検知する電流センサを設け、前記圧縮機又はＩＰＭの異常によりヒューズが溶断した場合、前記電流センサの値が所定値以下を一定時間継続した時に前記インバータ回路の運転を停止する事を特徴とする空気調和機の制御装置。
【発明の詳細な説明】
【０００１】
【発明の属する技術分野】
この発明はインバータ回路によって圧縮機の回転速度を多段階に可変する空気調和機の制御装置に関するものである。
【０００２】
【従来の技術】
従来よりインバータ回路で圧縮機の運転周波数を、空調負荷に応じて約３０〜１２０Ｈｚの間でステップ的に可変して能力を適宜大きさに調整することで、設定温度に対する温度ムラが比較的少ない空気調和が行われていた。
図２の概略回路図によって従来例の説明をすれば、ａはＡＣ１００Ｖの商用電源であり、この商用電源ａをダイオードスタックｂとコンデンサｃ、ｄによって直流に整流すると共に倍電圧のＤＣ２８０Ｖにしコンデンサｅにて平滑しＩＰＭｆに供給していた。そしてこのＩＰＭｆの出力に発生した三相交流の周波数を約３０〜１２０Ｈｚに可変する事で圧縮機ｇの回転速度を可変していた。
【０００３】
ｈは前記コンデンサｅとＩＰＭｆの間に設けられた１０Ａ用のヒューズで、前記ＩＰＭｆや圧縮機ｇの異常によって過電流が発生した場合に溶断し、回路や圧縮機ｇの破損を最小限に抑えるものである。
前記ＩＰＭｆはマイクロコンピュータｉにて制御されるが、このマイクロコンピュータｉは、前記ヒューズｈとＩＰＭｆの間より引き出されスイッチングトランスｊにて約１２Ｖに降圧された電源にて駆動していたので、前記ＩＰＭｆや圧縮機ｇの異常等によって過電流が発生しヒューズｈが溶断した場合にはマイクロコンピュータｉの電源も断たれるものだった。
また前記商用電源ａとダイオードスタックｂの間には電流センサｋを設け前記マイクロコンピュータｉにて過電流の検出を行っていた。
【０００４】
【発明が解決しようとする課題】
空気調和機は販売価格の低下により製造原価の低減が大きな課題であり、前記インバータ回路も原価の低減の必要が有り、スイッチングトランスｊを安価なＤＣ／ＤＣコンバータに変更しようとすると、安価なＤＣ／ＤＣコンバータは入力電源がＤＣ１４０Ｖであるためにヒューズｈよりも電源１側に入力電源を取る必要があり、この場合ＩＰＭｆ等の故障でヒューズｈが溶断してもマイクロコンピュータｉは故障を認識できずＩＰＭｆに運転信号を送り続けることでマイクロコンピュータｉ自身や他の回路までも二次的な故障を発生させる危険が有った。
【０００５】
【課題を解決するための手段】
この発明はこの点に着目し上記欠点を解決する為、空気調和機における圧縮機用のモータに電力を供給するインバータ回路と、このインバータ回路の動作を制御するマイクロコンピュータを備えた空気調和機の制御装置に於いて、前記インバータ回路にＩＰＭを設け、交流の商用電源をダイオードスタックにて直流に整流し、この直流電源を前記ＩＰＭに供給すると共に前記ダイオードスタックとＩＰＭの間にヒューズを設け、前記ダイオードスタックとヒューズとの間にＤＣ／ＤＣコンバータを接続し、前記マイクロコンピュータの電源をＤＣ／ＤＣコンバータにて供給し、前記ＩＰＭの入力側電流を検知する電流センサを設け、前記圧縮機又はＩＰＭの異常によりヒューズが溶断した場合、前記電流センサの値が所定値以下を一定時間継続した時に前記インバータ回路の運転を停止するようにしたものである。
【０００６】
【発明の実施の形態】
異常発生時の作動について説明すれば、ＩＰＭ６や圧縮機７等の故障が発生しヒューズ８が溶断した場合、マイクロコンピュータ９がＩＰＭ６に運転信号を送っているにもかかわらず電流センサ１１の値が２Ｖ以下なった場合にはヒューズ８が切れたものと判断し、マイクロコンピュータ９からＩＰＭ６への運転信号を停止する。
そしてマイクロコンピュータ９は表示装置１２のランプ等により使用者に異常の発生を知らせるものである。
【０００７】
【実施例】
以下この発明の一実施例を図面をもとに説明すれば、１はＡＣ１００Ｖの商用電源であり、この商用電源１をダイオードスタック２とコンデンサ３、４によって直流に整流すると共に倍電圧のＤＣ２８０Ｖにしコンデンサ５にて平滑し、直流を任意の周波数の三相交流に返還するＩＰＭ６に供給する。
そしてこのＩＰＭ６の出力に発生した三相交流の周波数を約３０〜１２０Ｈｚに可変する事で圧縮機７の回転速度を多段階に可変するものである。
【０００８】
８は前記コンデンサ５とＩＰＭ６の間に設けられた１０Ａ用のヒューズで、前記ＩＰＭ６や圧縮機７の異常によって過電流が発生した場合に溶断し、回路や圧縮機７の破損を最小限に抑えるものである。
前記ＩＰＭ６はマイクロコンピュータ９にて制御されるが、このマイクロコンピュータ９は、電源は安価なＤＣ／ＤＣコンバータ１０によって供給している。
【０００９】
前記ＤＣ／ＤＣコンバータ１０は入力電源がＡＣ１４０Ｖであるために、前記コンデンサ３とコンデンサ４の間に接続されている。
１１は前記商用電源１とダイオードスタック２の間に設けた電流センサで、マイクロコンピュータ９に電流情報の信号を送るものである。
１２は前記マイクロコンピュータ９に接続されたランプやダイオード等から成る表示装置であり、異常時やその他の情報を表示して使用者に知らせるものである。
【００１０】
異常発生時の作動について説明すれば、ＩＰＭ６や圧縮機７等の故障が発生しヒューズ８が溶断した場合、マイクロコンピュータ９がＩＰＭ６に運転信号を送っているにもかかわらず電流センサ１１の値が２Ｖ以下なった場合にはヒューズ８が切れたものと判断し、マイクロコンピュータ９からＩＰＭ６への運転信号を停止する。
そしてマイクロコンピュータ９は表示装置１２のランプ等により使用者に異常の発生を知らせるものである。
【００１１】
このようにＤＣ／ＤＣコンバータ１０がヒューズ８よりも電源１側にあっても、異常によるヒューズ８溶断を電流センサ１１により的確に判断しＩＰＭ６への運転指令を停止しするので、マイクロコンピュータ９自身やその他回路が二次的に故障する事を防止している。
【００１２】
【発明の効果】
以上のようにこの発明によれば、スイッチングトランスよりも安価なＤＣ／ＤＣコンバータを使用するために、ＤＣ／ＤＣコンバータの電源がヒューズよりも電源側にあっても、圧縮機又はＩＰＭの異常によりヒューズが溶断した場合でも、電流センサにより的確に判断しＩＰＭへの運転指令を停止しするので、マイクロコンピュータ自身やその他回路が二次的に故障する事を防止するものである。
【図面の簡単な説明】
【図１】この発明一実施例の概略の回路図。
【図２】従来例の回路図。
【符号の説明】
６  ＩＰＭ
７  圧縮機
８  ヒューズ
９  マイクロコンピュータ
１０  ＤＣ／ＤＣコンバータ
１１  電流センサ
【図１】
0003996309.tif 000002
【図２】
0003996309.tif 000003